(57)【要約】【課題】低温雰囲気中の点灯始動時の発光管に発生する移動縞を抑制した液晶ディスプレイ用バックライト装置を提供する。【解決手段】水銀と希ガスとが封入され、内周面に蛍光体と保護膜とが形成された容器の両端部に、二本の導入線と導入線間に設けられたフィラメントコイルとからなる第１電極および第２電極とがそれぞれ配置された蛍光管１０３とそれを収納する筐体１０４とを備える液晶ディスプレイ用バックライト装置１０１において、発光管１０３の消灯期間中に、第１電極および第２電極の少なくとも一方の近傍に水銀を凝縮させる。蛍光管１０３の始動時に通常点灯時よりも電力を多くフィラメントコイルに供給する。【選択図】図１
2007272042.tif 000002
【特許請求の範囲】
【請求項１】
液晶ディスプレイ用バックライト装置であって、
水銀と希ガスとが封入され、内周面に蛍光体が形成されたガラス管の両端部に第１電極および第２電極とが封着された発光管と、  
前記発光管を収納する筐体とを備え、
発光管の消灯期間中に、前記第１電極および第２電極の少なくとも一方の近傍に他の箇所よりも低温となる低温促進構成が発光管に設けられていることを特徴とする液晶ディスプレイ用バックライト装置。
【請求項２】
前記低温促進構成は、発光管の少なくとも一端を重力方向下方に配置した構成であることを特徴とする請求項１記載の液晶ディスプレイ用バックライト装置。
【請求項３】
前記低温促進構成は第１電極および第２電極の少なくとも一方の近傍の発光管外表面に接触する状態で設けた接触部材であり、前記接触部材は、前記筐体と接していることを特徴とする請求項１記載の液晶ディスプレイ用バックライト装置。
【請求項４】
前記第１電極および第２電極は２本の導入線とその間に接続したフィラメントからなり、前記低温促進構成は少なくとも１本の導入線に配した金属体であることを特徴とする請求項１記載の液晶ディスプレイ用バックライト装置。
【請求項５】
液晶ディスプレイ用バックライト装置であって、
第１電極と第２電極との間に電圧を印加し、かつ、前記第１電極および第２電極に設けられたフィラメントをそれぞれ加熱する電流を流す点灯回路を備え、
前記フィラメントに始動時に通常点灯時よりも電力を多く供給し、電極近傍の温度を上昇させる温度上昇手段を設けたことを特徴とする液晶ディスプレイ用バックライト装置。
【請求項６】
前記温度上昇手段は、
前記第１電極および第２電極の少なくとも一方のフィラメントに供給する電流を始動時から所定期間大きくすることを特徴とする請求項５記載の液晶ディスプレイ用バックライト装置。
【請求項７】
前記温度上昇手段は、
前記第１電極および第２電極の少なくとも一方のフィラメントに供給する電流と、前記第１電極と第２電極との間に流れる放電電流のそれぞれの位相を略一致させることを特徴とする請求項５記載の液晶ディスプレイ用バックライト装置。
【請求項８】
前記温度上昇手段は、
前記第１電極および第２電極の少なくとも一方のフィラメントに流れる電流にピーク波形を重畳させることで構成されることを特徴とする請求項５記載の液晶ディスプレイ用バックライト装置。
【請求項９】
請求項１記載の液晶ディスプレイ用バックライト装置の前面に液晶ディスプレイを設置したことを特徴とする液晶表示装置。
【発明の詳細な説明】
【技術分野】
【０００１】
本発明は、熱電極を備えた液晶ディスプレイ用バックライト装置及びこれを用いた液晶表示装置に関し、特に、低温始動時の発光管の放電安定化に関する。
【背景技術】
【０００２】
パーソナルコンピュータのモニタやテレビなどの表示装置には、従来からCRT、PDPなど様々な方式がある。近年、省電力性と合わせて表示装置の薄型化および大画面化の要求が高まり、液晶ディスプレイが表示装置の主流の１つになっている。
液晶表示装置は、液晶パネルとバックライトとからなる。バックライトから供給する光の強度が大きいほど、画像表示の輝度を確保できるとともに、一様な画像を表示した場合に局所的な濃淡などのない高い均斉度が得られる。このバックライトの光源として、従来、２６型くらいまでのサイズの小型テレビの液晶ディスプレイのバックライトには、冷陰極蛍光ランプが主に用いられている。例えば、特許文献１には、液晶表示装置に直下型のバックライトが配置されている発明が記載されている。
【０００３】
ところが、冷陰極蛍光ランプは、駆動に必要な電圧が大きく、他の光源と比べて高圧の電源を必要とする。このため、バックライト構造の絶縁を十分にする必要がある。この絶縁性の問題は、２６型のサイズを超えるような超大型の液晶表示装置が実用化されるに従い、顕著な問題となり、また、コスト高につながる。更に、冷陰極蛍光ランプは、１本あたりに投入する電力が小さいため、液晶表示装置として画面輝度を確保するには、多くの本数を必要とし、組み立て工数がかかるという問題もある。
【０００４】
そこで、冷陰極蛍光ランプ以外の光源、例えば熱陰極蛍光ランプを液晶ディスプレイ用バックライト装置に適用することが考えられる。
【特許文献１】特開平０７‐０６４０８３号公報
【特許文献２】特開昭６１‐０７４２９８号公報
【非特許文献１】梶原利郎、佐野雅敏、低圧Hg‐希ガス系における不安定放電現象の解析、照明学会誌、第８３巻２号、１０１〜１０８頁、１９９９年
【非特許文献２】好本寛、移動縞の現象、日本物理学会誌、第１７巻１１号、７９０〜７９８頁、１９６２年
【発明の開示】
【発明が解決しようとする課題】
【０００５】
ところで、熱陰極蛍光ランプは、熱電子放出のためコイル状の構造体からなる電極を有しており、冷陰極蛍光ランプと比べて電極を収容するために管径が大きくなる。熱陰極蛍光ランプでは、ランプの軸線方向に沿って発光の明暗に差異が生じる現象、所謂、移動縞が生じる場合がある。この移動縞は、略管径に近い間隔で現れるので、冷陰極蛍光ランプでは問題にならないが、冷陰極蛍光ランプよりも管径の大きな熱陰極蛍光ランプでは、問題となる。
【０００６】
すなわち、放電状態が不安定となる低温雰囲気中で調光したときや始動時に移動縞が生じた際、管径が大きいので液晶ディスプレイの画面に現れる明暗の差異が大きく、表示画像の品質を低下させることになる。特に、低温雰囲気中の始動時は放電状態が安定していないため、移動縞が問題となる。
本発明は、熱陰極蛍光ランプの始動時の移動縞を極力抑え、表示画像の品質低下を防止する液晶ディスプレイ用バックライト装置及びでこれを用いた液晶表示装置を提供することを目的とする。
【課題を解決するための手段】
【０００７】
上記課題を解決するため、本発明は、液晶ディスプレイ用バックライト装置であって、  水銀と希ガスとが封入され、内周面に蛍光体が形成されたガラス管の両端部に第１電極および第２電極とが封着された発光管と、前記発光管を収納する筐体とを備え、発光管の消灯期間中に、前記第１電極および第２電極の少なくとも一方の近傍に他の箇所よりも低温となる低温促進構成が発光管に設けられていることとしている。
【発明の効果】
【０００８】
上述のような構成によって、消灯期間の間に、第１電極および第２電極の少なくとも一方の近傍が他の箇所よりは低温となり、水銀が凝縮されているので、点灯始動時には、少なくともいずれかの電極の発熱によって、急速に水銀蒸気が発生し、発光管内部の水銀蒸気圧が所定の値に達し、移動縞の発生を抑制することができる。
また、前記低温促進構成は、発光管の少なくとも一端を重力方向下方に配置した構成であることとしている。
【０００９】
このような構成によって、筐体内部では、バックライト点灯時に自然対流により上部よりも下部の方が温度が低いので、下部の一端に有する少なくとも一方の電極の近傍付近が、消灯時には温度が低くなる。これによって、この電極の近傍付近で水銀蒸気が凝縮する。点灯始動時には、この凝縮された水銀が急速に水銀蒸気となり、発光管内部の水銀蒸気圧が所定の値に達し、移動縞の発生を抑制することができる。
【００１０】
また、前記低温促進構成は第１電極および第２電極の少なくとも一方の近傍の発光管外表面に接触する状態で設けた接触部材であり、前記接触部材は、前記筐体と接していることとしている。
このような構成によって、バックライト消灯時に接触部材は、接触している発光管の温度を急激に下げるので、接触部材の接触している発光管内部に水銀蒸気が凝縮する。バックライト点灯時には、フィラメントの発熱によって凝縮している水銀が急激に蒸発し、水銀蒸気圧が所定の値に達し、発生した移動縞を消失させることができる。
【００１１】
また、前記第１電極および第２電極は２本の導入線とその間に接続したフィラメントからなり、前記低温促進構成は少なくとも１本の導入線に配した金属体であることとしている。
このような構成によって、バックライト消灯時には、導入線を介して金属体の熱が発光管外部に散逸されるので、金属体の温度は他の部分に比べて急激に低下する。このため金属体表面には、水銀蒸気が凝縮する。この金属体表面に凝縮された水銀がバックライト点灯時にフィラメントで熱せられ、急激に水銀蒸気となる。これによって移動縞の発生が抑制される。
【００１２】
また、本発明は、液晶ディスプレイ用バックライト装置であって、第１電極と第２電極との間に電圧を印加し、かつ、前記第１電極および第２電極に設けられたフィラメントをそれぞれ加熱する電流を流す点灯回路を備え、前記フィラメントに始動時に通常点灯時よりも電力を多く供給し、電極近傍の温度を上昇させる温度上昇手段を設けたこととしている。
【００１３】
このような構成によって、バックライト点灯時に、凝縮された水銀の存在領域の温度を温度上昇手段が急激に上昇をすることによって、水銀を蒸発させ、水銀蒸気圧を所定の値まで急激に上昇させるので、移動縞を短時間で消失させることができる。
また、前記温度上昇手段は、前記第１電極および第２電極の少なくとも一方のフィラメントに供給する電流を始動時から所定期間大きくすることとしている。
【００１４】
このような構成によって、前記発光管内部の水銀蒸気圧が所定の値まで達する所定期間フィラメントは、大きな発熱量を示し、フィラメント近傍に凝縮された水銀を短時間に蒸発させる。これによって、発光管に生じる移動縞を消失させることができる。
また、前記温度上昇手段は、前記第１電極および第２電極の少なくとも一方のフィラメントに供給する電流と、前記第１電極と第２電極との間に流れる放電電流のそれぞれの位相を略一致させることとしている。
【００１５】
このような構成によって、フィラメントに供給される電流量が多くなり、発熱量も大きいので、凝縮された水銀を短時間で蒸発させ、水銀蒸気圧を急激に上昇させて、発光管に生じる移動縞を短時間で消失させることができる。
また、前記温度上昇手段は、前記第１電極および第２電極の少なくとも一方のフィラメントに流れる電流にピーク波形を重畳させることで構成されることとしている。
【００１６】
このような構成によって、フィラメントを発熱させ、水銀蒸気圧を急激に上昇させて、発光管に生じる移動縞を短時間で消失させることができる。
また、本発明は、前記液晶ディスプレイ用バックライト装置の前面に液晶ディスプレイを設置したことを特徴とする液晶表示装置としている。
このような構成によって、バックライト装置に生じる移動縞を抑制することができるので、液晶ディスプレイの表示画面に高画質の映像を表示することができる。
【発明を実施するための最良の形態】
【００１７】
以下、本発明に係る液晶ディスプレイ用バックライト装置およびこれを用いた液晶表示装置について、図面を用いて説明する。
（実施の形態１）
図１は、本発明に係る液晶表示装置を模式的に示した分解斜視図である。
この液晶表示装置は、液晶ディスプレイ用バックライト装置１０１と液晶パネル１０２とからなる。バックライト装置１０１の基本的な構成は、複数の発光管１０３と、発光管１０３を略平行に保持する筐体１０４と、発光管１０３の後方に発光管１０３からの光を前方に反射する反射部材１０６と、発光管１０３の前方に発光管１０３からの光と反射部材１０６からの光とを集光する集光部材１０７と、発光管１０３に電力を供給する電源回路である点灯回路１０５とからなる。
【００１８】
このバックライト装置１０１は、液晶パネル１０２の対角画面サイズが４５インチのバックライト装置としている。
集光部材１０７は、拡散板、拡散シート、プリズムシート１０８と偏光板１０９とからなり、発光管１０３から発せられた光を液晶パネル１０２に対して裏面から照射する。
図２は、発光管１０３の管軸方向の断面図の一例である。
【００１９】
発光管１０３は、ガラス管２００と、ガラス管２００の両端部に設けられた第１電極２０１と第２電極２０２とを有する。ガラス管２００は、外径φ８〜φ３０からなり、長さ１，０１０ｍｍとした。ガラス管２００には、Ａｒ５０％とＫｒ５０％との封入ガスを６００Ｐａのガス圧で封入し、Ｈｇを３〜８ｍｇ封入している。
第１電極２０１は、２本の導入線２０３と、導入線２０３間に設けられたフィラメントコイル２０４とからなる。第２電極２０２も同様の構成である。容器２００の内周面には、保護膜２０６が形成され、保護膜２０６の表面には、蛍光体２０７が形成されている。ガラス管２００の両端部には、口金２０６が取り付けられている。
【００２０】
本実施の形態では、消灯期間中に第１電極２０１または第２電極２０２の少なくとも一方の電極または第１電極２０１および第２電極２０２の両方の電極の近傍を発光管１０３の他の部分よりも低温にし、点灯期間中に蒸発していた水銀を電極の近傍で凝縮させる。これによって、発光管１０３の点灯時に凝縮された水銀を急速に蒸発させる構成としている。以下、本実施の形態の具体例である実施例について説明する。
（実施例１）
図３は、バックライト装置１０１の発光管１０３の管軸に沿う断面図である。
【００２１】
発光管１０３は、外形φ１８またはφ１５のガラス管で長さ５７０ｍｍの両端部に電極を有する熱陰極蛍光ランプとした。封入ガスはAr５０％、Kr５０％とし、封入ガス圧を６００Pａとし、水銀５ｍｇを封入している。発光管１０３は、液晶パネル１０２の画面に対して、略縦（鉛直）方向に配列し、対角画面サイズが４５インチのバックライト装置としている。なお、発光管１０３は、筐体１０４と後方の反射部材１０６と前方の集光部材１０７とによって、略密閉状態とされている。
【００２２】
以下、本実施例の動作について説明する。
発光管１０３の点灯時、対流により、暖かい空気は筐体１０４の上層部へ移動し、冷たい空気は下層部に移動する。これによって、発光管１０３の上部が温められ、相対的に下部の温度は低くなる。この状態で発光管１０３が消灯されると、水銀蒸気は温度の低い第１電極２０１の近傍の発光管１０３の内周面に凝縮する。次回点灯始動時には、凝縮された水銀は、第１電極２０１のフィラメントコイル２０４の熱によって温められ、短時間に蒸発し、水銀蒸気は、発光管１０３の中央部へ拡散していく。これによって、水銀蒸気圧がある値に達すると、移動縞は消失する。
【００２３】
なお、本実施例では、発光管１０３を直管としたけれども、Ｕ次管として、第１電極および第２電極を両方とも筐体１０４の下方部に配置するようにしてもよい。このようにすれば、次回点灯始動時に第１電極および第２電極のフィラメントコイル２０４によって、より急速に温められるので、水銀蒸気の拡散が促進される。
（実施例２）
図４は、バックライト装置１０１を上方から見た、発光管１０３の管軸方向に沿った断面図である。本実施例では、発光管１０３は、上記実施例１と異なり、液晶パネル１０２の画面に略横（水平）方向に配置している。また、発光管１０３の外径、封入ガスの条件は、実施例１と同様であるが、発光管１０３の長さを１１００ｍｍとし、対角画面サイズを４５インチのバックライト装置としている。
【００２４】
発光管１０３のフィラメントコイル２０４の近傍の外周面の一部には、筐体１０４との間に介在する接触部材４０１を設けている。接触部材４０１は、発光管１０３の周囲の熱伝導度よりも大きな材料から形成される。例えば、通常の物質は空気よりも熱伝導率は高いが、樹脂や木材よりはアルミニウムや銅など熱伝導率のより高い金属等で形成される方が好ましい。なお、本図では、第１電極部分だけを表示しているが、第２電極部分も同様の構成である。
【００２５】
以下、本実施例の動作を説明する。
発光管１０３の点灯時には、フィラメントコイル２０４の温度が高いため、接触部材４０１から筐体１０４を介して外部に放熱がされても、フィラメントコイル２０４近傍が発光管１０３の他の部分より高温となり、水銀蒸気は、発光管１０３の中央部に拡散していく。発光管１０３が消灯されると、フィラメントコイル２０４の発熱がなくなり、発光管１０３の接触部材４０１と接触している外周部は、接触部材４０１および筐体１０４を介して放熱され、急激に冷却される。これによって、発光管１０３の接触部材４０１に対峙する内周面には、蒸発していた水銀が凝縮される。
【００２６】
図５は、発光管１０３が再度点灯されたときの状態を模式的に表した図である。発光管１０３の内周面には、水銀５０１が凝縮されている。フィラメントコイル２０４の発熱によって、水銀５０１が加熱され、水銀蒸気５０２となって拡散していく。
なお、本実施例では接触部材４０１を発光管１０３と筐体１０４との間に介在させたけれども、接触部材４０１に替えて、筐体１０４を発光管１０３に直接接触させる突起部を設けるようにしてもよい。
【００２７】
また、接触部材４０１は、発光管１０３の放熱を助けたけれども、接触部材４０１に替えて、消灯時に発光管１０３を冷却する冷却部材を設けるようにしてもよい。
（実施例３）
図６は、バックライト装置１０１の発光管１０３の管軸に沿う断面図である。
本実施例では、導入線２０３のフィラメントコイル２０４の近傍に金属体６０１が設けられている。金属体６０１は、例えば、ステンレススチールの厚み０．５ｍｍ、縦８ｍｍ、横４ｍｍの１００メッシュのものを用いている。発光管１０３の形状や封入ガスの条件は、実施例２と同様である。
【００２８】
以下、本実施例の動作を説明する。
発光管１０３の消灯時に、金属体６０１は、導入線２０３を介して放熱し、発光管１０３の他の部分よりも早く冷却される。蒸発していた水銀は、周囲より温度の低い金属体６０１表面で凝縮する。次に、発光管１０３が点灯始動されたとき、金属体６０１正面で凝縮されていた水銀は、フィラメントコイル２０４の発熱によって、急激に蒸発し、発光管１０３の中央部分に拡散していく。これによって、水銀蒸気圧が所定の値に達すると、移動縞は消失する。
【００２９】
なお、金属体６０１にメッシュ状のもの用いたけれども、金属体６０１の表面積が大きいほど、水銀の凝縮効果が発揮されるので、多孔質とした金属体を用いるようにしてもよい。
なお、本実施例では、図６に第１電極だけを示したけれども、第２電極も同様の構成を有している。
（実施の形態２）
次に、点灯始動時のフィラメントコイル２０４の発熱を助長するための実施の形態２について説明する。フィラメントコイル２０４の発熱が大きければ大きいほど電極近傍に凝縮された水銀の蒸発は速められる。
【００３０】
以下、具体的な実施例について図面を用いて説明する。
（実施例４）
図７は、実施例４の点灯始動時からのフィラメントコイル２０４に流れる電流を点灯始動時からの経過時間と共に変化する様子を示した図である。点灯始動時から所定時間ｔ１の間フィラメントコイルに流れる電流を定格電流の１．５倍流れるように点灯回路１０５を設計している。これによって、フィラメントコイル２０４は、急激に加熱され、電極近傍に凝縮された水銀を急速に蒸発させることができる。
【００３１】
図８は、本実施例に用いた点灯回路１０５の一例を示す図である。
点灯回路１０５は、制御回路１  ８０１と制御回路１  ８０１に接続された主回路８０２と制御回路２  ８０３と制御回路２  ８０３に接続された予熱回路８０４とからなり、発光管（La）１０３の第１電極２０１と第２電極２０２に電力を供給している。
図９（ａ）は、主回路８０２からＬａ１０３の第１電極２０１と第２電極２０２との間に供給される電力の周波数ｆ１と点灯始動時からの時間を示す図である。周波数ｆ１とランプ電圧、ランプ電流との関係は、図９（ｂ）に示されている。
【００３２】
本実施例では、制御回路２  ８０３から周期の異なる矩形波信号を予熱回路８０４に送出して、トランジスタＱ３、Ｑ４のＯＮ／ＯＦＦの周期を制御し、Ｌａ１０３のフィラメントコイル２０４に供給する電流の周波数を点灯始動時から所定時間ｔ１、図９（ｃ）に示す様に、ｂ２（＜ａ２）とし、所定時間ｔ１経過後、周波数ａ２とする。この予熱電流と周波数ｆ２との関係は、図９（ｄ）に示されている。
【００３３】
なお、所定時間ｔ１は、発光管１０３の管軸に沿う方向に直角方向に発生する移動縞が消失するのに要する時間である。
なお、バックライト装置１０１は、上記実施例２で示したものを用いた。
以下、本実施例の動作を説明する。
発光管１０３の消灯期間中に、第１電極２０１、第２電極２０２の近傍で凝縮された水銀は、点灯始動時に定格の１．５倍のフィラメント電流で高温に加熱されたフィラメントコイル２０４の熱を受け、急激に水銀蒸気となり、発光管１０３の中央部へ拡散する。そして、水銀蒸気圧が所定値に達すると、移動縞は消失する。このように、点灯始動時に大きなフィラメント電流を流すことにより、移動縞が消失するまでの時間を大幅に短縮することができる。
【００３４】
なお、本実施例ではフィラメントコイル２０４に定格電流の１．５倍の電流を流したけれども、定格電流よりも大きければ効果があり、また、フィラメントコイル２０４の消耗が殆ど認められない範囲で定格電流よりも大きな電流を流すことができる。
（実施例５）
本実施例では、図１０に示すように、点灯始動時の所定期間は、フィラメント電流とランプ電流との位相を一致させ、所定期間経過後は、フィラメント電流とランプ電流との位相差を設けることとしている。
【００３５】
なお、バックライト装置１０１は、実施例２のものを用いる。
図１１は、本実施例で用いる点灯回路１０５の具体例の一例を示す図である。この点灯回路１０５は、発振回路１１０１と制御回路１  １１０２と主回路１１０３と位相シフト回路１１０４と制御回路２  １１０５と予熱回路１１０６とを備えている。
発振回路１１０１からは、図１２の上段に示すスイッチング信号を出力する。制御回路１  １１０２では主回路１１０３に入力されたスイッチング信号と同一のスイッチング信号を出力する。位相シフト回路１１０４では、点灯始動時の所定期間は、予熱回路１１０６に、図１２の中段に示す入力されたスイッチング信号と同一のスイッチング信号を出力する。位相シフト回路１１０４は、所定期間経過後、図１２の下段に示す位相が△だけ遅延したスイッチング信号を予熱回路１１０６に出力する。これによって、点灯始動時の所定期間は、図１０に示したトータル電流の大きな電流がフィラメントコイル２０４に供給される。所定期間の経過後は、図１０の安定点灯時に示すような、トータル電流の小さな電流がフィラメントコイル２０４に供給される。
【００３６】
ここで、フィラメント電流とは、同一電極内の導入線２０３の一方の導入線から他方の導入線に流れる電流であり、ランプ電流とは、一方の電極例えば第１電極２０１から他方の電極例えば第２電極２０２に流れる電流である。そして、フィラメント電流とランプ電流の合成電流（トータル電流）により、フィラメントコイル２０４は発熱する。
以下、本実施例の動作を説明する。
【００３７】
発光管１０３の点灯始動時には、フィラメント電流とランプ電流との位相の一致したトータル電流の大きな電流がフィラメントコイル２０４に流れる。これによって、フィラメントコイル２０４は急激に発熱し、凝縮されていた水銀を蒸発させ、発光管１０３の中央部に水銀蒸気が拡散する。これによって、水銀蒸気圧が所定の値に達すると、移動縞は消失する。所定期間経過後、フィラメント電流とランプ電流との位相をずらすと、無効電流が発生し、フィラメントコイル２０４に流れるトータル電流を定格値に戻すことができる。このように、点灯始動時のみに、フィラメント電流とランプ電流とを同位相とすることにより、フィラメント電流の波形を大きく変えることなく、移動縞の消失するまでの時間を大幅に短縮することが可能となる。
（実施例６）
本実施例では、実施例２のバックライト装置１０１を用い、実施例４で用いられた図８に示した点灯回路１０５を用いる。
【００３８】
本実施例では、実施例２と同様、制御回路２  ８０３から周期の異なる矩形波信号を予熱回路８０４に送出して、トランジスタＱ３  ８０５、Ｑ４  ８０６のＯＮ／ＯＦＦの周期を制御し、Ｌａ１０３のフィラメントコイル２０４に供給する電流の周波数を点灯始動時からの所定時間、図１３（ａ）に示すように、周期的に周波数ｆ１の電流に周波数ｆ２のピーク電流を重畳する。これによって、フィラメントコイル２０４に供給されるフィラメント電流は、図１３（ｂ）に示すように、ピーク電流のピーク値１３０１は、フィラメント電流のピーク値の２〜５倍になり、電流の半値幅は数百ナノ秒程度となる。なお、このピーク値を大幅に超える電流とすると、発光管１０３を形成するガラス管が熱せられ過ぎて、ガラス管に損傷を与える可能性がある。
【００３９】
次に、本実施例の動作を説明する。
点灯始動時にフィラメント電流にピーク電流を重畳させることにより、図５に示したように、フィラメントコイル２０４と接触部材４０１との間に、瞬間的に大きな電位差が生じ、放電が起こる。この放電により、フィラメントコイル２０４近傍で凝縮された水銀５０１は、短時間で加熱され、水銀蒸気圧が上昇し、発光管１０３の中央部へと拡散していく。そして、水銀蒸気圧が所定の値に達すると、移動縞は消失する。
【００４０】
次に、上記各実施例における移動縞の消失までの時間を実験結果をもとに説明する。
図１４は、発光管の中央部の水銀蒸気圧［Ｐａ］と点灯開始からの経過時間［Ｓ］との関係を示す図である。
ここで、比較例および実施例１〜３の各実施例では、実施例４で説明した主回路８０２で供給されるランプ電流のみをフィラメントコイル２０４に供給している。また、比較例のバックライト装置は、実施例２に示した発光管１０３の接触部材４０１が設けられていないものを用いた。
【００４１】
図１４から明らかなように、消灯期間中に水銀蒸気を電極近傍に凝縮させる手段を設けない比較例ａでは、移動縞消失まで１１５秒程を要している。しかし、実施例４ｅでは、その半分以下の５０秒程度で移動縞が消失している。他の実施例についても、グラフｂ〜ｆから明らかに比較例ａに比較して効果があることが実証されている。
実施例１〜実施例３と実施例４〜実施例６とはそれぞれ組み合わせて実施することができるが、例えば、実施例３の導入線２０３に金属体６０１を設けるようにして、実施例４の様に点灯始動時にフィラメントコイル２０４に定格電流の１．５倍の電流を流すようにすれば、更に、移動縞の消失までの時間を短縮することができる。
【００４２】
なお、移動縞は、発光管１０３の中央部の水銀蒸気圧が０．１６Paとなったときに消失している。上記各実施例において、点灯始動時の所定時間は、発光管１０３の中央部の水銀蒸気圧が０．１６Paとなるまでの時間をいう。  
【産業上の利用可能性】
【００４３】
本発明に係る液晶表示装置は、２６型を超える大きなサイズのTVの表示装置として家電業界で利用され、また、本発明に係る液晶ディスプレイ用バックライト装置は、大型のサイズの液晶ディスプレイ用バックライト装置として家電業界で活用される。
【図面の簡単な説明】
【００４４】
【図１】本発明に係る液晶表示装置の実施の形態１を模式的に示した分解斜視図である。
【図２】上記実施の形態の発光管の断面図の一例である。
【図３】上記実施の形態の液晶ディスプレイ用バックライト装置の実施例１の構造を示す断面図である。
【図４】上記実施の形態の実施例２の構造を示す断面図である。
【図５】上記実施の形態の実施例２の発光管点灯始動時の状態を模式的に示した断面図である。
【図６】上記実施の形態の実施例３の構造を示す断面図である。
【図７】本発明に係る液晶ディスプレイ用バックライト装置の実施の形態２の実施例４の発光管点灯始動時のフィラメント電流を示す図である。
【図８】上記実施例の点灯回路の構成の一例を示す図である。
【図９】上記実施例のフィラメント電流とランプ電流とを説明するための図である。
【図１０】上記実施の形態の実施例５の点灯始動時と安定点灯時との電流値を示す図である。
【図１１】上記実施例５の点灯回路の一例を示す図である。
【図１２】上記実施例５の位相シフト回路から出力されるスイッチング信号の一例を示す図である。
【図１３】上記実施の形態２の実施例６で与えられるフィラメント電流を説明するための図である。
【図１４】上記各実施例と比較例との発光管中央部における水銀蒸気圧の発光管点灯開始時間からの関係を示すグラフである。
【符号の説明】
【００４５】
１０１  液晶ディスプレイ用バックライト装置
１０２  液晶パネル
１０３  発光管
１０４  筐体
１０５  点灯回路
１０６  反射部材
１０７  集光部材
１０８  拡散板、拡散シート、プリズムシート
１０９  偏光板
２００  ガラス管
２０１  第１電極
２０２  第２電極
２０３  導入線
２０４  フィラメントコイル
２０５  口金
２０６  保護膜
２０７  蛍光体
４０１  接触部材
５０１  水銀
５０２  水銀蒸気
６０１  金属体
【図１】
2007272042.tif 000003
【図２】
2007272042.tif 000004
【図３】
2007272042.tif 000005
【図４】
2007272042.tif 000006
【図５】
2007272042.tif 000007
【図６】
2007272042.tif 000008
【図７】
2007272042.tif 000009
【図８】
2007272042.tif 000010
【図９】
2007272042.tif 000011
【図１０】
2007272042.tif 000012
【図１１】
2007272042.tif 000013
【図１２】
2007272042.tif 000014
【図１３】
2007272042.tif 000015
【図１４】
2007272042.tif 000016